(57)【要約】      （修正有）【課題】砲弾型の発光ダイオード群による演色性を改善したＬＥＤ照明具において、その照射効率を向上できるＬＥＤ照明具を提供する。【解決手段】下端に＋電極１ａと−電極１ｂを有する口金１を設けたカップ型の外囲器２と、該外囲器２に被蓋される光拡散キャップ２ｂと、内部に収納される基板３ａ上に同心状多重に配列される発光ダイオード群からなる発光部３と、前記口金１と該発光部３とを電気的に接続する電気回路とからＬＥＤ照明具を構成する。前記発光部３が、基板３ａの回路パターンに応じて砲弾型の赤色発光ダイオードと電球色発光ダイオードとの発光ダイオード群に対して、その最外周域に近接してチップ型広角発光ダイオードを周設して成る。【選択図】図１
0003168487.tif 000002
【実用新案登録請求の範囲】
【請求項１】
下端に＋電極と−電極を有する口金を配設して成るカップ型の外囲器と、該外囲器の開口部に被蓋され、発光を拡散させる光拡散キャップと、内部に収納される基板上に同心状多重に配列される発光ダイオード群からなる発光部と、前記口金と該発光部とを電気的に接続する電気回路とから成るＬＥＤ照明具において、
前記発光部が、基板の回路パターンに応じて砲弾型の赤色発光ダイオードと電球色発光ダイオードとの発光ダイオード群に対して、その最外周域に近接してチップ型広角発光ダイオードを周設して成るＬＥＤ照明具。
【考案の詳細な説明】
【技術分野】
【０００１】  本考案は、演色性を改善して照射するＬＥＤ照明技術において、照射効率を向上できるＬＥＤ照明具に関する。
【背景技術】
【０００２】  基板上に同心状多重に発光ダイオード群を配列し、各個の発光ダイオードの光色種類を適宜に選択して配列することにより、演色性を改善したＬＥＤ照明装置が特開２００３−２９８１１８号公報（特許文献１）に提案されているが、全て砲弾型の発光ダイオードであるため、照射の範囲が狭くて照射効率が低いものであった。
【先行技術文献】
【特許文献】
【０００３】
【特許文献１】  特開２００３−２９８１１８号公報
【考案の概要】
【考案が解決しようとする課題】
【０００４】  本考案は、砲弾型の発光ダイオード群による演色性を改善したＬＥＤ照明具において、その照射効率を向上できるＬＥＤ照明具を提供するものである。
【課題を解決するための手段】
【０００５】  本考案のＬＥＤ照明具は、下端に＋電極と−電極を有する口金を配設して成るカップ型の外囲器と、該外囲器の開口部に被蓋され、発光を拡散させる光拡散キャップと、内部に収納される基板上に同心状多重に配列される発光ダイオード群からなる発光部と、前記口金と該発光部とを電気的に接続する電気回路とから成るＬＥＤ照明具において、
前記発光部が、基板の回路パターンに応じて砲弾型の赤色発光ダイオードと電球色発光ダイオードとの発光ダイオード群に対して、その最外周域に近接してチップ型広角発光ダイオードを周設して成る。
【考案の効果】
【０００６】  本考案のＬＥＤ照明具によれば、砲弾型の発光ダイオード群の最外周域にチップ型広角発光ダイオードを周設したものであるから、直接外周方向を照射する発光に加えて、内周方向に照射される発光が、砲弾型の発光ダイオードの平面視円弧状の周面に反射し、複雑に増幅されて外周方向に照射されるから、直接光と増幅反射光との２重の照射光で外周方向を照射するので、照射効率の高い照明効果を呈する。
【図面の簡単な説明】
【０００７】
【図１】本考案に係るＬＥＤ照明具Ａの正面図。
【図２】外囲器２に収納される発光部３の平面図。
【図３】発光部３の説明用正面図。
【図４】チップ型広角発光ダイオード３ｃによる照射方向の説明図。
【図５】透明状の光拡散キャップ２ｂと不透明状の外囲器本体２ａとの接合状態の部分説明図。
【考案を実施するための形態】
【０００８】  本考案における基板上に配列される発光ダイオード群の配列は、同心円状に多重に配列されるものから、方形状のものや長円形状のものまで種々であり、これらの最外周域に配列されるチップ型広角発光ダイオードも前記配列に対応して配列される。
また、本考案は照射効率を高めるものであるため、外囲器は全体が透明な合成樹脂製のものから、収納される発光部上を透明な合成樹脂製の光拡散キャップとして、該光拡散キャップと口金を接合した不透明な外囲器本体とを、着脱自在に接合するものなどでも提供される。
【実施例】
【０００９】  本考案のＬＥＤ照明具Ａを実施例により説明すると、図１に示すように、下端に＋電極１ａと−電極１ｂを有する口金１を配設して成るカップ型の合成樹脂製の透明な外囲器２と、内部に収納される基板３ａ上で図２に示すように、同心円状に３重の発光ダイオード群（ＬＥＤ群）３ｂとその最外周域に近接して周設されるチップ型広角発光ダイオード３ｃからなる発光部３と、該発光部３と前記口金１とを電気的に接続する電気回路４とから成り、前記発光ダイオード群３ｂは、中心に砲弾型の電球色発光ダイオード３ｂｂが１個配設され、最内側１重の８個の砲弾型発光ダイオードでは、斜線で示した４個が赤色発光ダイオード３ｂａで、残り４個が電球色発光ダイオード３ｂｂであり、２重目は１３個全てが砲弾型の電球色発光ダイオード３ｂｂであり、３重目は１６個の内、斜線で示した６個が砲弾型の赤色発光ダイオード３ｂａであり、残り１０個が砲弾型の電球色発光ダイオード３ｂｂから成る。そして、この発光ダイオード群３ｂの最外周域に周設される扁平なチップ型広角発光ダイオード３ｃは、照射角度が１２０°で発光される白色発光ダイオードから成る。なお、外囲器２の周面４個所には、側方からの浮遊するチリやホコリが吸引されないように、鉛直方向に開口されて内部の熱を放出する放熱孔２ｃが配設される。【００１０】  このようにして成るＬＥＤ照明具Ａは、図４に示すように、最外周域に周設される扁平なチップ型広角発光ダイオード３ｃから１２０°の広角で照射される光は、一方では直接光３ｄとして鉛直線に対して６０°の照射角で外周方向を照明し、他方では鉛直線に対して６０°の照射角で近接して最外周域に周設される砲弾型の発光ダイオードの周面を照射するが、その反射光３ｅが外周方向を照明することとなって、中心部の発光ダイオード群３ｂの演色性によって生鮮食品の色調を強調するとともに、その周囲を広範に、かつ、明るく照明して照射効率を高めるものである。
前記の図１に示したＬＥＤ照明具Ａは、透明な外囲器本体２ａに透明な光拡散キャップ２ｂを接着剤等で一体にしたものであるが、これに代えて、図５に示したものは、不透明な外囲器本体２ａに対して透明な光拡散キャップ２ｂをネジ螺合によって、着脱自在に接合したものである。
この光拡散キャップ２ｂを不透明な外囲器本体２ａに対して着脱自在に接合した場合には、ＬＥＤの直列接続において、１個のＬＥＤの故障によって全てのＬＥＤの不点灯となる不経済な点が、故障ＬＥＤの取り換えが可能となって解消され、メンテナンスフリー効果を呈するものとなる。
なお、本考案における電気回路４は、ＬＥＤ点灯の通常の電流制限回路によるものであるが、交流電源でＬＥＤを点灯させる場合は、配列されるＬＥＤと並列に、逆方向に整流用ダイオードを接続して逆電圧を逃がすようにしてある。
【産業上の利用可能性】
【００１１】  本考案は、発光ダイオード群による演色性を改善したＬＥＤ照明具において、さらに、砲弾型の発光ダイオードより背の低いチップ型広角発光ダイオードを前記発光ダイオード群の最外周域に近接して周設したものであるから、照射効率の高い照明具となり、主として生鮮食品の陳列照明の分野で大なる需要が期待される。
【符号の説明】
【００１２】１  口金
１ａ  ＋電極
１ｂ  −電極
２  外囲器
２ａ  外囲器本体
２ｂ  光拡散キャップ
２ｃ  放熱孔
３  発光部
３ａ  基板
３ｂ  発光ダイオード群
３ｂａ  赤色発光ダイオード
３ｂｂ  電球色発光ダイオード
３ｃ  チップ型広角発光ダイオード
３ｄ  直接光
３ｅ  反射光
４  電気回路
Ａ  ＬＥＤ照明具
【図１】
0003168487.tif 000003
【図２】
0003168487.tif 000004
【図３】
0003168487.tif 000005
【図４】
0003168487.tif 000006
【図５】
0003168487.tif 000007